【手続補正書】
【提出日】平成16年9月30日(2004.9.30)
【手続補正１】
【補正対象書類名】明細書
【補正対象項目名】特許請求の範囲
【補正方法】変更
【補正の内容】
【特許請求の範囲】
【請求項１】
画像を表す画像データが記憶される画像データベース，
上記画像データベースに記憶されている画像データについての属性情報を検索項目に対応して格納するための属性情報テーブルが記憶される属性情報データベース，
上記属性情報テーブルに格納されている属性情報と上記画像データベースに記憶されている画像データとを関連づけるためのリンク情報が記憶されるリンク情報データベース，
与えられる検索条件と上記リンク情報データベースに記憶されているリンク情報とにもとづいて，上記属性情報データベースに記憶されている属性情報テーブルから上記検索条件に該当する属性情報を抽出して出力する属性情報検索手段，および
与えられる検索条件と上記リンク情報データベースに記憶されているリンク情報とにもとづいて，上記画像データベースに記憶されている画像データを抽出して出力する画像データ検索手段，
を備えたデータベース検索システム。
【請求項２】
上記属性情報データベースに上記属性情報テーブルが複数記憶されるものであり，
上記属性情報検索手段が，与えられる検索条件と上記リンク情報データベースに記憶されているリンク情報とにもとづいて，上記属性情報データベースに記憶されている複数の属性情報テーブルの中から検索対象とすべき属性情報テーブルを検索し，見つかった属性情報テーブルから上記検索条件に該当する属性情報を抽出して出力するものである，
請求項１に記載のデータベース検索システム。
【請求項３】
上記リンク情報データベースに記憶されているリンク情報が，
与えられる検索条件と上記属性情報テーブルとをリンクするための第１のリンク情報，および与えられる検索条件と上記画像データとをリンクするための第２のリンク情報を含むものである，
請求項１に記載のデータベース検索システム。
【請求項４】
上記画像データを識別するための識別コードが付与されており，
上記リンク情報に上記識別コードと上記属性情報とをリンクするための複数桁をもつリンク・データが格納されており，上記リンク・データの各桁のデータと上記識別コードとが対応づけられるものである，
請求項１に記載のデータベース検索システム。
【請求項５】
上記属性情報テーブルを生成する属性情報テーブル生成手段，
上記属性情報テーブル生成手段によって生成された属性情報テーブルが上記属性情報データベースに記憶されているかどうかを判定する判定手段，および
上記判定装置により，上記属性情報テーブル生成手段によって生成された属性情報テーブルが上記属性情報データベースに記憶されていないと判定されたことに応答して，上記属性情報テーブル生成手段により生成された上記属性情報テーブルを上記属性情報データベースに記憶させる第１の記憶制御手段，
をさらに備えた請求項１に記載のデータベース検索システム。
【請求項６】
上記記憶制御手段により，上記属性情報テーブル生成手段により生成された上記属性情報テーブルを上記属性情報データベースに記憶させたことに応答して，記憶した上記属性情報テーブルに対応する上記リンク情報を生成するリンク情報生成手段，および
上記リンク情報テーブル生成手段により生成された上記リンク情報を上記リンク情報データベースに記憶させる第２の記憶制御手段，
を備えた請求項５に記載のデータベース検索システム。
【請求項７】
属性情報を検索項目に対応して格納するための属性情報テーブルが，複数記憶されている属性情報データベース，
上記属性情報データベースに記憶されている複数の属性情報テーブルの中から，与えられる検索条件に応じて用いられるべき属性情報テーブルを特定するためのリンク情報が記憶されるリンク情報データベース，および
与えられる検索条件と上記リンク情報データベースに記憶されているリンク情報とにもとづいて，上記属性情報データベースに記憶されている複数の属性情報テーブルの中から検索対象とすべき属性情報テーブルを検索し，見つかった属性情報テーブルから上記検索条件に該当する属性情報を抽出して出力する属性情報検索手段，
を備えたデータベース検索システム。
【請求項８】
画像を表す画像データを画像データベースに記憶し，
上記画像データベースに記憶されている画像データについての属性情報を検索項目に対応して格納するための属性情報テーブルを属性情報データベースに記憶し，
上記属性情報テーブルに格納されている属性情報と上記画像データベースに記憶されている画像データとを関連づけるためのリンク情報をリンク情報データベースに記憶し，
与えられる検索条件と上記リンク情報データベースに記憶されているリンク情報とにもとづいて，上記属性情報データベースに記憶されている属性情報テーブルから上記検索条件に該当する属性情報を抽出して出力し，
与えられる検索条件と上記リンク情報データベースに記憶されているリンク情報とにもとづいて，上記画像データベースに記憶されている画像データを抽出して出力する，
データベース検索方法。
【請求項９】
属性情報を検索項目に対応して格納するための属性情報テーブルを，属性情報データベースに複数記憶し，
上記属性情報データベースに記憶されている複数の属性情報テーブルの中から，与えられる検索条件に応じて用いられるべき属性情報テーブルを特定するためのリンク情報をリンク情報データベースに複数記憶し，
与えられる検索条件と上記リンク情報データベースに記憶されているリンク情報とにもとづいて，上記属性情報データベースに記憶されている複数の属性情報テーブルの中から検索対象とすべき属性情報テーブルを検索し，見つかった属性情報テーブルから上記検索条件に該当する属性情報を抽出して出力する，
データベース検索方法。
【手続補正２】
【補正対象書類名】明細書
【補正対象項目名】０００６
【補正方法】変更
【補正の内容】
【０００６】
第１の発明によるデータベース検索システムは，画像を表す画像データが記憶される画像データベース，上記画像データベースに記憶されている画像データについての属性情報を検索項目に対応して格納するための属性情報テーブルが記憶される属性情報データベース，上記属性情報テーブルに格納されている属性情報と上記画像データベースに記憶されている画像データとを関連づけるためのリンク情報が記憶されるリンク情報データベース，与えられる検索条件と上記リンク情報データベースに記憶されているリンク情報とにもとづいて，上記属性情報データベースに記憶されている属性情報テーブルから上記検索条件に該当する属性情報を抽出して出力する属性情報検索手段，および与えられる検索条件と上記リンク情報データベースに記憶されているリンク情報とにもとづいて，上記画像データベースに記憶されている画像データを抽出して出力する画像データ検索手段を備えていることを特徴とする。
【手続補正３】
【補正対象書類名】明細書
【補正対象項目名】０００８
【補正方法】変更
【補正の内容】
【０００８】
第１の発明によると，上記画像データベースには，上記画像データが記憶され，上記属性情報データベースには，上記属性情報テーブルが記憶され，上記リンク情報データベースには，上記リンク情報が記憶される。
【手続補正４】
【補正対象書類名】明細書
【補正対象項目名】０００９
【補正方法】変更
【補正の内容】
【０００９】
検索条件が与えられると，与えられた検索条件と上記リンク情報データベースに記憶されているリンク情報とにもとづいて検索が行なわれ，上記属性情報データベースに記憶されている属性情報テーブルから，与えられた検索条件に該当する属性情報が抽出して出力される。また，検索条件と上記リンク情報テーブルとにもとづいて検索が行なわれ，上記画像データベースに記憶されている画像データが抽出され，出力される。
【手続補正５】
【補正対象書類名】明細書
【補正対象項目名】００１０
【補正方法】変更
【補正の内容】
【００１０】
上記画像データが記憶される画像データベースと上記属性テーブルが記憶される属性情報データベースとは別々のデータベースである（必ずしも物理的に別々である必要はなく，論理的に別々のデータベースであればよい）ので，画像データとは関係なく属性情報テーブルの内容の修正，属性情報テーブルの追加，削除が可能となる。ある特定の検索条件だけでなく，様々な検索条件に対応したデータベース検索ができる。
【手続補正６】
【補正対象書類名】明細書
【補正対象項目名】００１１
【補正方法】変更
【補正の内容】
【００１１】
上記属性情報データベースに上記属性情報テーブルを複数記憶することもできる。この場合には，与えられる検索条件と上記リンク情報データベースに記憶されているリンク情報とにもとづいて，上記属性情報データベースに記憶されている複数の属性情報テーブルの中から検索対象とすべき属性情報テーブルを検索し，見つかった属性情報テーブルから上記検索条件に該当する属性情報を抽出して出力することとなろう。
【手続補正７】
【補正対象書類名】明細書
【補正対象項目名】００１６
【補正方法】変更
【補正の内容】
【００１６】
上記属性情報テーブルを生成し，生成された属性情報テーブルが上記属性情報データベースに記憶されているかどうかを判定し，生成された属性情報テーブルが上記属性情報データベースに記憶されていないと判定されたことに応答して，生成された上記属性テーブルを上記属性情報データベースに記憶させるようにしてもよい。
【手続補正８】
【補正対象書類名】明細書
【補正対象項目名】００１７
【補正方法】変更
【補正の内容】
【００１７】
新たな上記属性情報テーブルを上記属性情報データベースに記憶させることができる。しかも，上記属性情報テーブルが，上記属性情報データベースにすでに記憶されているかどうかを判定しているので，上記属性情報データベースにすでに記憶されている属性情報テーブルと重複することがない。
【手続補正９】
【補正対象書類名】明細書
【補正対象項目名】００１８
【補正方法】変更
【補正の内容】
【００１８】
生成された上記属性情報テーブルを上記属性データベースに記憶させたことに応答して，記憶した上記属性情報テーブルに対応する上記リンク情報を生成し，生成された上記リンク情報を上記リンク情報データベースに記憶させるようにしてもよい。